(57)【特許請求の範囲】
【請求項１】
フロント側のホストコンピュータによって作成され、画像として露光される露光部に相当する画像データと当該露光部以外の周辺不要部に相当する画像データとを含む製版データを受け取る刷版出力機であって、
刷版の周辺不要部に関する位置情報を記憶する記憶手段と、
前記記憶手段に記憶された位置情報に基づいて、前記製版データから周辺不要部に相当する画像データを削除するデータ削除手段とを備え、
前記周辺不要部に相当する画像データが削除された製版データに基づいて刷版を露光する刷版出力機。
【請求項２】
前記データ削除手段は、前記ホストコンピュータによって作成された製版データを記憶するメモリを備え、当該メモリから製版データを読み出す際に、前記記憶手段に記憶された位置情報に基づいて、製版データに含まれる周辺不要部に相当する画像データを読み出さないように前記メモリを制御することで、前記製版データから周辺不要部に相当する画像データを削除することを特徴とする、請求項１に記載の刷版出力機。
【請求項３】
前記周辺不要部は、刷版のくわえ部およびくわえ尻部である、請求項１または２に記載の刷版出力機。
【請求項４】
前記製版データは、Ｋラインの画像データで構成されており、各ラインの画像データは、前記くわえ部に相当する画像データと、画像として露光される露光部に相当する画像データと、前記くわえ尻部に相当する画像データとを含んでおり、
前記データ削除手段は、
１ライン分の画像データを格納可能な第１および第２のラインメモリを含み、
１ライン目のくわえ部の画像データを削除した後、前記第１および第２のラインメモリに、いずれか一方がｉ（ｉは２〜Ｋ＋１の任意の値）ライン目の露光部に相当する画像データと、ｉライン目のくわえ尻部に相当する画像データと、ｉ＋１ライン目のくわえ部に相当する画像データとを書き込んでいるとき、いずれか他方がｉ−１ライン目の露光部に相当する画像データを読み出すトグル動作を行わせることで、くわえ部およびくわえ尻部に相当する画像データを削除することを特徴とする、請求項３に記載の刷版出力機。
【請求項５】
フロント側のホストコンピュータによって作成された製版データを受け取って刷版を露光する刷版出力機であって、
前記製版データは、複数のラインの画像データで構成され、各ラインの画像データには、画像として露光される露光部に相当する画像データとそれ以外の周辺不要部に相当する画像データとが含まれており、
刷版の周辺不要部に関する位置情報を記憶する記憶手段と、
前記記憶手段に記憶された位置情報に基づいて、前記製版データから周辺不要部に相当するデータを削除するデータ削除手段と、
ライン単位で刷版表面を走査する光ビームを発する光源とを備え、
前記光源によって各ラインを走査する際には、前記データ削除手段によって前記周辺不要部に相当するデータが削除された製版データに基づいて刷版を露光する刷版出力機。
【請求項６】
画像として露光される露光部に相当する画像データと当該露光部以外の周辺不要部に相当する画像データとを含み、フロント側のホストコンピュータによって作成された製版データに基づいて、刷版を露光する方法であって、
刷版の周辺不要部に関する位置情報を記憶する第１のステップと、
前記第１のステップで記憶された位置情報に基づいて、前記製版データから周辺不要部に相当する画像データを削除する第２のステップとを備え、
前記周辺不要部に相当する画像データが削除された製版データに基づいて刷版を露光する、刷版出力方法。
【発明の詳細な説明】
【０００１】
【発明の属する技術分野】
本発明は、刷版出力機に関し、より特定的には、上流工程から受け取った製版データに基づいて、版材を露光することにより、刷版を出力する刷版出力機に関する。
【０００２】
【従来の技術】
刷版出力機は、上流工程（以下、フロント側と称す）から受け取った製版データに基づいて、ＰＳ版等の版材を露光することにより、刷版を出力する装置である。ここで、刷版出力機は、露光できる刷版のサイズに上限があり、上限を越えるようなサイズの製版データを受け取っても、これを受け付けることができないか、受け付けたとしても適正に出力することができない。これには、例えば以下に示すような理由がある。
（１）上限サイズの範囲外について露光等の出力作業を行うことが可能なようにハードウェアが作られていない。
（２）製版データを読み込む際、当該製版データと刷版出力機固有の位置アドレスとを対応付ける作業を行っておく必要がある。換言すると、製版データの各部分が刷版のどの位置に露光されるかがわかるようにしておく必要がある。しかしながら、受け取った製版データが上限サイズを越える場合、刷版出力機では、上限サイズを越える部分に対応する位置アドレスが存在しないから、上記の対応付け作業を行うことができない。
【０００３】
ところで、刷版のサイズは、規格により決められており、無数のサイズが存在する。従来の刷版出力機は、レーザで露光できる最大出力サイズの範囲内で、刷版のサイズを選択することが可能であり、選択されたサイズの刷版を出力することができる。従来の刷版出力機は、フロント側から受け取った製版データのサイズが内部に設定されている選択可能な刷版のサイズのいずれとも異なるとき、当該製版データを扱うことができなかった。なぜならば、フロント側で作られる製版データは、刷版出力機で使用する刷版と同サイズの枠を基準として、画像、絵柄、文字等が配置されているからである。もし、受け取った製版データのサイズが選択可能な刷版サイズのいずれとも一致しない場合、刷版出力機は、どのサイズの刷版を出力すべきかわからない。また、たとえ一番近いサイズの刷版を選択したとしても、受け取った製版データと選択された刷版との位置関係が不明となり、適切な刷版を出力することができない。
【０００４】
【発明が解決しようとする課題】
上記のような事情から、従来の刷版出力機の最大出力サイズは、その刷版出力機で出力可能な刷版の最大サイズと同サイズに設定せざるを得なかった。しかしながら、実際は、刷版の上部および下部は、印刷機の胴に固定するための「くわえ」および「くわえ尻」として用いられ、その部分は印刷されない。すなわち、従来の刷版出力機は、印刷物から見て必要以上に大きな（無駄な）露光エリアを持っていることになる。そして、最大露光エリアが大きくなればなるほど、高価な光学系を必要とし、刷版出力機のコストは上昇する。また、露光速度も遅くなる。
【０００５】
それ故に、本発明の目的は、露光エリアを出力可能な刷版の最大サイズよりも小さくすることができ、結果として安価で高速露光が可能な刷版出力機を提供することである。
【０００６】
【課題を解決するための手段および発明の効果】
第１の発明は、フロント側のホストコンピュータによって作成され、画像として露光される露光部に相当する画像データと当該露光部以外の周辺不要部に相当する画像データとを含む製版データを受け取る刷版出力機であって、
刷版の周辺不要部に関する位置情報を記憶する記憶手段と、
記憶手段に記憶された位置情報に基づいて、製版データから周辺不要部に相当する画像データを削除するデータ削除手段とを備えている。
上記のように、第１の発明によれば、刷版の周辺不要部に関する位置情報を記憶しておき、この記憶された位置情報に基づいて、製版データから周辺不要部に相当するデータを削除するようにしているので、最大露光エリアをその刷版出力機で出力可能な刷版の最大サイズよりも小さくすることができる。その結果、装置のコストを低減できると共に、高速な露光が可能となる。
【０００７】
第２の発明は、第１の発明において、
データ削除手段は、前記ホストコンピュータによって作成された製版データを記憶するメモリを備え、当該メモリから製版データを読み出す際に、前記記憶手段に記憶された位置情報に基づいて、製版データに含まれる周辺不要部に相当する画像データを読み出さないように前記メモリを制御することで、前記製版データから周辺不要部に相当する画像データを削除することを特徴とする。
【０００８】
第３の発明は、第１、第２の発明において、
周辺不要部は、刷版のくわえ部およびくわえ尻部であることを特徴とする。
【０００９】
第４の発明は、第３の発明において、
製版データは、Ｋラインの画像データで構成されており、各ラインの画像データは、くわえ部に相当する画像データと、画像として露光される露光部に相当する画像データと、くわえ尻部に相当する画像データとを含んでおり、
データ削除手段は、
１ライン分の画像データを格納可能な第１および第２のラインメモリを含み、
１ライン目のくわえ部の画像データを削除した後、第１および第２のラインメモリに、いずれか一方がｉ（ｉは２〜Ｋ＋１の任意の値）ライン目の露光部に相当する画像データと、ｉライン目のくわえ尻部に相当する画像データと、ｉ＋１ライン目のくわえ部に相当する画像データとを書き込んでいるとき、いずれか他方がｉ−１ライン目の露光部に相当する画像データを読み出すトグル動作を行わせることで、くわえ部およびくわえ尻部に相当する画像データを削除することを特徴とする。
上記のように、第４の発明によれば、２つのラインメモリを設け、これらラインメモリに所定のトグル動作を行わせることにより、簡単なタイミング制御だけで、周辺不要部（くわえ部およびくわえ尻部）の画像データを削除することができる。
【００１０】
第５の発明は、フロント側のホストコンピュータによって作成された製版データを受け取って刷版を露光する刷版出力機であって、
前記製版データは、複数のラインの画像データで構成され、各ラインの画像データには、画像として露光される露光部に相当する画像データとそれ以外の周辺不要部に相当する画像データとが含まれており、
刷版の周辺不要部に関する位置情報を記憶する記憶手段と、
前記記憶手段に記憶された位置情報に基づいて、前記製版データから周辺不要部に相当するデータを削除するデータ削除手段と、
ライン単位で刷版表面を走査する光ビームを発する光源とを備え、
前記光源によって各ラインを走査する際には、前記データ削除手段によって前記周辺不要部に相当するデータが削除された製版データに基づいて刷版を露光する事を特徴とする。
【００１１】
第６の発明は、画像として露光される露光部に相当する画像データと当該露光部以外の周辺不要部に相当する画像データとを含み、フロント側のホストコンピュータによって作成された製版データに基づいて、刷版を露光する方法であって、
刷版の周辺不要部に関する位置情報を記憶する第１のステップと、
第１のステップで記憶された位置情報に基づいて、製版データから周辺不要部に相当する画像データを削除する第２のステップとを備え、
前記周辺不要部に相当する画像データが削除された製版データに基づいて刷版を露光することを特徴とする。
【００１２】
上記のように、第６の発明によれば、刷版の周辺不要部に関する位置情報を記憶しておき、この記憶された位置情報に基づいて、製版データから周辺不要部に相当するデータを削除するようにしているので、最大露光エリアをその刷版出力機で出力可能な刷版の最大サイズよりも小さくすることができる。その結果、装置のコストを低減できると共に、高速な露光が可能となる。
【００１３】
【発明の実施の形態】
図１は、本発明の一実施形態に係る刷版出力機の構成を示すブロック図である。図１において、本実施形態の刷版出力機は、ＣＰＵ１と、ハードディスク装置２と、ディスクコントローラ３と、パラレルシリアル変換器４と、ＦＩＦＯメモリ５と、切換器６と、第１ラインメモリ７と、第２ラインメモリ８と、セレクタ９と、レーザドライバ１０と、レーザダイオード１１と、読み出しポインタ１２と、書き込みポインタ１３と、ＦＩＦＯメモリ制御部１４と、セレクタ１５および１６と、レーザ制御部１７とを備えている。また、刷版出力機は、露光する画像データを作成するフロント側のホストコンピュータに接続される。
【００１４】
ハードディスク装置２は、フロント側のホストコンピュータから受け取った製版データを格納している。ディスクコントローラ３は、ハードディスク装置２の読み出しおよび書き込みを制御する。パラレルシリアル変換器４は、ハードディスク装置２から読み出された８ビットデータを１ビットデータに変換する。パラレルシリアル変換器４によって１ビットデータに変換された製版データは、ＦＩＦＯメモリ５を介して切換器６に与えられる。切換器６は、入力された製版データを第１および第２ラインメモリ７および８のいずれかに供給する。第１および第２ラインメモリ７および８は、製版データを１ライン分記憶することができる。セレクタ９は、第１および第２ラインメモリ７および８のいずれかの出力をレーザドライバ１０に供給する。レーザドライバ１０の出力は、レーザダイオード１１に与えられる。レーザダイオード１１は、版材を露光する際の光源である。読み出しポインタ１２は、第１および第２ラインメモリ７および８からの読み出しのためのアドレスを発生する。書き込みポインタ１３は、第１および第２ラインメモリ７および８への書き込みのためのアドレスを発生する。セレクタ１５は、読み出しポインタ１２からの読み出しアドレスおよび書き込みポインタ１３からの書き込みアドレスを入力し、いずれかを第２ラインメモリ８に与える。セレクタ１６は、読み出しポインタ１２からの読み出しアドレスおよび書き込みポインタ１３からの書き込みアドレスを入力し、いずれかを第１ラインメモリ７に与える。書き込みポインタ１３からの書き込みアドレスは、ＦＩＦＯメモリ制御部１４にも与えられる。このＦＩＦＯメモリ制御部１４は、ＦＩＦＯメモリ５の動作を制御する。ＣＰＵ１は、切換器６の切換動作、セレクタ９，１５，１６の選択動作を制御する。また、ＣＰＵ１は、読み出しポインタ１２における読み出しアドレスの発生動作および書き込みポインタ１３における書き込みアドレスの発生動作を制御する。
【００１５】
図２は、製版データにおけるライン毎のエリア配置を示す図解図である。図２において、くわえ部は、＃１，＃４，＃７，…，＃［３×（Ｎ−２）＋１］，＃［３×（Ｎ−１）＋１］の部分である。くわえ尻部は、＃３，＃６，＃９，…，＃［３×（Ｎ−２）＋３］，＃［３×（Ｎ−１）＋３］の部分である。画像として露光する部分は、＃２，＃５，＃８，…，＃［３×（Ｎ−２）＋２］，＃［３×（Ｎ−１）＋２］の部分である。また、＃１は１ライン目のくわえ部、＃２は１ライン目の露光部、＃３は１ライン目のくわえ尻部とし、＃［３×（Ｎ−１）＋１］はＮライン目のくわえ部、＃［３×（Ｎ−１）＋２］はＮライン目の露光部、＃［３×（Ｎ−１）＋３］はＮライン目のくわえ尻部とする。
【００１６】
図３は、図１に示す刷版出力機の動作シーケンスを示すタイミングチャートである。なお、図３において、スタートセンサ信号は、ポリゴンスキャナを用いた時の主走査の位置検出用センサの出力信号の事である。図４〜図９は、それぞれ、図３におけるタイミングｔ１〜ｔ６において、図１の刷版出力機におけるデータの流れを示す図である。以下、これら図３〜図９を参照して、図１に示す刷版出力機の動作を説明する。
【００１７】
まず、図３におけるタイミングｔ１の動作、すなわち１ライン目のくわえ部＃１の画像データを捨てる動作について説明する。このときのデータの流れは、図４に示されている。ＦＩＦＯメモリ制御部５は、くわえ部＃１の画素数分（くわえ部の主走査画素数分）だけ、ＦＩＦＯメモリ５が画像データを出力するように制御する。この制御は、たとえば、くわえ部の主走査画素数を、予めＦＩＦＯメモリ制御部１４に設定記憶することで実現される。ＦＩＦＯメモリ５から出力されるくわえ部＃１の画像データは、切換器６を介して第１ラインメモリ７に書き込まれる。そのため、第１ラインメモリ７には、セレクタ１６を介して、書き込みポインタ１３からの書き込みアドレスが与えられている。このとき、セレクタ９は、遮断状態（いずれの入力も選択しない状態）とされている。また、レーザ制御部１７は、レーザダイオード１１が消灯状態となるように、レーザドライバ１０を制御している。
【００１８】
次に、図３におけるタイミングｔ２の動作、すなわち１ライン目の露光部＃２およびくわえ尻部＃３，２ライン目のくわえ部＃４の画像データを、第２ラインメモリ８に書き込む動作について説明する。このときのデータの流れは、図５に示されている。ＦＩＦＯメモリ制御部１４は、露光部＃２，くわえ尻部＃３，くわえ部＃４の画素数分だけ、ＦＩＦＯメモリ５が画像データを出力するように制御する。この制御は、原稿の画像データ１ライン分の主走査画素数を予めＦＩＦＯメモリ制御部１４に設定記憶し、ラインメモリに送られる画素データ数を数えることで実現される。ＦＩＦＯメモリ５から出力される露光部＃２，くわえ尻部＃３，くわえ部＃４の画像データは、切換器６を介して第２ラインメモリ８に書き込まれる。そのため、第２ラインメモリ８には、セレクタ１５を介して、書き込みポインタ１３からの書き込みアドレスが与えられている。このとき、セレクタ９は、遮断状態（いずれの入力も選択しない状態）とされている。また、レーザ制御部１７は、レーザダイオード１１が消灯状態となるように、レーザドライバ１０を制御している。
【００１９】
次に、図３におけるタイミングｔ３の動作、すなわち２ライン目の露光部＃５およびくわえ尻部＃６，３ライン目のくわえ部＃７の画像データを第１ラインメモリ７に書き込むと共に、第２ラインメモリ８に格納された露光部＃２の画像データの露光を行う動作について説明する。このときのデータの流れは、図６に示されている。ＦＩＦＯメモリ制御部１４は、露光部＃５，くわえ尻部＃６，くわえ部＃７の画素数分（１ラインの主走査画素数分）だけ、ＦＩＦＯメモリ５が画像データを出力するように制御する。ＦＩＦＯメモリ５から出力される露光部＃５，くわえ尻部＃６，くわえ部＃７の画像データは、切換器６を介して第１ラインメモリ７に書き込まれる。そのため、第１ラインメモリ７には、セレクタ１６を介して、書き込みポインタ１３からの書き込みアドレスが与えられている。第２ラインメモリ８に格納された画像データの内、露光部＃２のみを露光するために、読み出しアドレスポインタ１２は、第２ラインメモリ８に対する読み出しアドレスを発生する毎に内部カウンタをインクリメントし、当該カウンタのカウント値が露光部＃２の画素数に達すると、その後の読み出しアドレスの発生を停止する。なお、露光部の画素数は、予め読み出しアドレスポインタ１２に設定記憶されている。このとき、セレクタ９は、第２ラインメモリ８から読み出された露光部＃２の画像データをレーザドライバ１０に供給する。レーザ制御部１７は、第２ラインメモリ８の読み出し動作と同期をとりながら、レーザダイオード１１がオンオフ駆動されるように、レーザドライバ１０を制御する。
【００２０】
次に、図３におけるタイミングｔ４の動作、すなわち３ライン目の露光部＃８およびくわえ尻部＃９，４ライン目のくわえ部＃１０の画像データを第２ラインメモリ８に書き込むと共に、第１ラインメモリ７に格納された露光部＃５の画像データの露光を行う動作について説明する。このときのデータの流れは、図７に示されている。ＦＩＦＯメモリ制御部１４は、露光部＃８，くわえ尻部＃９，くわえ部＃１０の画素数分（１ラインの主走査画素数分）だけ、ＦＩＦＯメモリ５が画像データを出力するように制御する。ＦＩＦＯメモリ５から出力される露光部＃８，くわえ尻部＃９，くわえ部＃１０の画像データは、切換器６を介して第２ラインメモリ８に書き込まれる。そのため、第２ラインメモリ８には、セレクタ１５を介して、書き込みポインタ１３からの書き込みアドレスが与えられている。第１ラインメモリ７に格納された画像データの内、露光部＃５のみを露光するために、読み出しアドレスポインタ１２は、第１ラインメモリ７に対する読み出しアドレスを発生する毎に内部カウンタをインクリメントし、当該カウンタのカウント値が露光部＃５の画素数に達すると、その後の読み出しアドレスの発生を停止する。このとき、セレクタ９は、第１ラインメモリ７から読み出された露光部＃５の画像データをレーザドライバ１０に供給する。レーザ制御部１７は、第１ラインメモリ７の読み出し動作と同期をとりながら、レーザダイオード１１がオンオフ駆動されるように、レーザドライバ１０を制御する。
【００２１】
次に、図３におけるタイミングｔ５の動作、すなわち最終副走査ラインの露光部＃［３×（Ｎ−１）＋２］およびくわえ尻部＃［３×（Ｎ−１）＋３］の画像データ，最終副走査ライン外のダミーエリアのダミーデータを第２ラインメモリ８に書き込むと共に、第１ラインメモリ７に格納された最終の１ライン前の露光部＃［３×（Ｎ−２）＋２］の画像データの露光を行う動作について説明する。このときのデータの流れは、図８に示されている。ＦＩＦＯメモリ制御部１４は、露光部＃［３×（Ｎ−１）＋２］，くわえ尻部＃［３×（Ｎ−１）＋３］，ダミーエリアの画素数分（１ラインの主走査画素数分）だけ、ＦＩＦＯメモリ５が画像データを出力するように制御する。ＦＩＦＯメモリ５から出力される露光部＃［３×（Ｎ−１）＋２］，くわえ尻部＃［３×（Ｎ−１）＋３］の画像データおよびダミーエリアのダミーデータは、切換器６を介して第２ラインメモリ８に書き込まれる。そのため、第２ラインメモリ８には、セレクタ１５を介して、書き込みポインタ１３からの書き込みアドレスが与えられている。第１ラインメモリ７に格納された画像データの内、露光部＃［３×（Ｎ−２）＋２］のみを露光するために、読み出しアドレスポインタ１２は、第１ラインメモリ７に対する読み出しアドレスを発生する毎に内部カウンタをインクリメントし、当該カウンタのカウント値が露光部＃［３×（Ｎ−２）＋２］の画素数に達すると、その後の読み出しアドレスの発生を停止する。このとき、セレクタ９は、第１ラインメモリ７から読み出された露光部＃［３×（Ｎ−２）＋２］の画像データをレーザドライバ１０に供給する。レーザ制御部１７は、第１ラインメモリ７の読み出し動作と同期をとりながら、レーザダイオード１１がオンオフ駆動されるように、レーザドライバ１０を制御する。
【００２２】
なお、上記タイミングｔ５では、フロント側から転送された画像データのデータ量を越えるデータをハードディスク装置２から読み出すようにしているが、ハードディスク装置２の記憶容量が十分大きいので、ハードディスク装置２は、画像データの転送終了後、無効なデータをダミーデータとして転送するだけで良く、動作上に支障は生じない。
【００２３】
次に、図３におけるタイミングｔ６の動作、すなわちダミーエリア内のダミーデータを第１ラインメモリ７に書き込むと共に、第２ラインメモリ８に格納された最終ラインの露光部＃［３×（Ｎ−１）＋２］の画像データの露光を行う動作について説明する。このときのデータの流れは、図９に示されている。ＦＩＦＯメモリ制御部１４は、ダミーエリアの画素数分（１ラインの主走査画素数分）だけ、ＦＩＦＯメモリ５が画像データを出力するように制御する。ＦＩＦＯメモリ５から出力されるダミーデータは、切換器６を介して第１ラインメモリ７に書き込まれる。そのため、第１ラインメモリ７には、セレクタ１６を介して、書き込みポインタ１３からの書き込みアドレスが与えられている。第２ラインメモリ８に格納された画像データの内、露光部＃［３×（Ｎ−１）＋２］のみを露光するために、読み出しアドレスポインタ１２は、第２ラインメモリ８に対する読み出しアドレスを発生する毎に内部カウンタをインクリメントし、当該カウンタのカウント値が露光部＃［３×（Ｎ−１）＋２］の画素数に達すると、その後の読み出しアドレスの発生を停止する。このとき、セレクタ９は、第２ラインメモリ８から読み出された露光部＃［３×（Ｎ−１）＋２］の画像データをレーザドライバ１０に供給する。レーザ制御部１７は、第２ラインメモリ８の読み出し動作と同期をとりながら、レーザダイオード１１がオンオフ駆動されるように、レーザドライバ１０を制御する。
【００２４】
上記タイミングｔ６も上記タイミングｔ５と同様に、フロント側から転送された画像データのデータ量を越えるデータをハードディスク装置２から読み出すようにしているが、ハードディスク装置２の記憶容量が十分大きいので、ハードディスク装置２は、画像データの転送終了後、無効なデータをダミーデータとして転送するだけで良く、動作上に支障は生じない。
【００２５】
なお、上記の動作説明では、第２ラインメモリ８に格納された画像データを最終で露光するとしているが、副走査ライン数が奇数の場合には第２ラインメモリ８に格納された画像データの露光が最終となり、偶数の場合は第１ラインメモリ７に格納された画像データの露光が最終となる。
【図面の簡単な説明】
【図１】本発明の一実施形態に係る刷版出力機の構成を示すブロック図である。
【図２】製版データにおけるライン毎のエリア配置を示す図解図である。
【図３】図１に示す刷版出力機の動作シーケンスを示すタイミングチャートである。
【図４】図３におけるタイミングｔ１において、図１の刷版出力機におけるデータの流れを示す図である。
【図５】図３におけるタイミングｔ２において、図１の刷版出力機におけるデータの流れを示す図である。
【図６】図３におけるタイミングｔ３において、図１の刷版出力機におけるデータの流れを示す図である。
【図７】図３におけるタイミングｔ４において、図１の刷版出力機におけるデータの流れを示す図である。
【図８】図３におけるタイミングｔ５において、図１の刷版出力機におけるデータの流れを示す図である。
【図９】図３におけるタイミングｔ６において、図１の刷版出力機におけるデータの流れを示す図である。
【符号の説明】
１…ＣＰＵ
２…ハードディスク装置
３…ディスクコントローラ
４…パラレルシリアル変換器
５…ＦＩＦＯメモリ
６…切換器
７…第１ラインメモリ
８…第２ラインメモリ
９，１５，１６…セレクタ
１０…レーザドライバ
１１…レーザダイオード
１２…読み出しポインタ
１３…書き込みポインタ
１４…ＦＩＦＯメモリ制御部
１７…レーザ制御部
【図１】
0003544613.tif 000002
【図２】
0003544613.tif 000003
【図３】
0003544613.tif 000004
【図４】
0003544613.tif 000005
【図５】
0003544613.tif 000006
【図６】
0003544613.tif 000007
【図７】
0003544613.tif 000008
【図８】
0003544613.tif 000009
【図９】
0003544613.tif 000010